(57)【特許請求の範囲】
【請求項１】
毛が束ねられた穂部と、
前記穂部の基端部を支持する筒状の一端部を有する口金部と、
前記口金部の他端部に連結される柄部と、を備え、
前記口金部の筒状の一端部は、一直線上にない３つの点のそれぞれを結ぶ辺によって形成される図形の断面形状を有するとともに、前記穂部の基端部に当接し押圧する押圧面を各辺にそれぞれ有し、
前記穂部の先端部と前記口金部の一端部との間における該穂部の柱状部分の少なくとも一部の断面形状は、断面積が前記基端部に向けて漸減するように前記図形の断面形状に形成されることを特徴とする化粧用ブラシ。
【請求項２】
前記口金部の押圧面のうち少なくとも二つの押圧面は、平坦面であることを特徴とする請求項１記載の化粧用ブラシ。
【請求項３】
前記穂部の基端部は、前記口金部の一端部により略三角柱状に形成されることを特徴とする請求項１記載の化粧用ブラシ。
【請求項４】
毛が束ねられた穂部と、
前記穂部の基端部を支持する筒状の一端部を有する口金部と、
前記口金部の他端部に連結される柄部と、を備え、
前記口金部の筒状の一端部は、一直線上にない３つの点のそれぞれを結ぶ辺によって形成される図形の断面形状を有するとともに３つの辺のうちの一つの辺に窪みを有し、前記穂部の基端部に当接し押圧する押圧面を各辺にそれぞれ有し、
前記穂部の先端部と前記口金部の一端部との間における該穂部の柱状部分の少なくとも一部の断面形状は、断面積が前記基端部に向けて漸減するように前記図形の断面形状に形成されることを特徴とする化粧用ブラシ。
【請求項５】
毛が束ねられた穂部と、
筒状の断面形状を有し、前記穂部の基端部を収容する収容部を有する柄部と、を備え、
前記柄部の筒状の一端部は、一直線上にない３つの点のそれぞれを結ぶ辺によって形成される図形の断面形状を有するとともに、前記穂部の基端部に当接し押圧する押圧面を各辺にそれぞれ有し、
前記穂部の先端部と前記柄部の一端部との間における該穂部の柱状部分の少なくとも一部の断面形状は、断面積が前記基端部に向けて漸減するように前記図形の断面形状に形成されることを特徴とする化粧用ブラシ。
【請求項６】
前記穂部の基端部は、略三角柱状に形成されることを特徴とする請求項５記載の化粧用ブラシ。
【発明の詳細な説明】
【技術分野】
【０００１】
本発明は、穂部を有する化粧用ブラシに関する。
【背景技術】
【０００２】
化粧品を塗布するために使用される化粧用ブラシは、一般に、束ねられた毛からなる穂部と、柄部と、穂部と柄部とを連結する口金部とから構成されている。化粧用ブラシにおいては、例えば、特許文献１にも示されるように、穂部の断面形状および口金部の端部の断面形状が略円形とされる丸ブラシ、あるいは、特許文献２にも示されるように、穂部の断面形状および口金部の端部が扁平形状とされる平ブラシが実用に供されている。平ブラシにおいては、プレス加工でブラシ毛の根本が口金部の端部とともに平形に圧し潰されることにより、ブラシ毛が口金部に固定されている。
【０００３】
上述のような化粧用ブラシは、化粧品の種類、および、その用途に従い選択的に使用されている。上述の丸ブラシは、例えば、チークブラシとして使用され、また、上述のような平ブラシは、例えば、アイシャドウブラシとして使用される場合がある。
【先行技術文献】
【特許文献】
【０００４】
【特許文献１】特開２００８−２９５７０６号公報
【特許文献２】特開２００７−４４１６３号公報
【発明の概要】
【発明が解決しようとする課題】
【０００５】
上述の平ブラシが使用される場合、穂部における毛の長さ、および、毛量が同一とされる丸ブラシに比して平ブラシにおける毛の曲げ剛性が小となり、所謂、毛のコシが弱くなるので化粧品の種類によっては容易に化粧品を塗布できない場合がある。このような場合、平ブラシを使用するにあたって、化粧品の種類に応じた毛のコシのより強い、即ち、毛量をさらに増やした平ブラシを予め別途、用意しておくことが必要とされる。
【０００６】
また、丸ブラシが使用される場合、平ブラシに比して穂部が自由に動き、毛先が簡単に広がるので平ブラシに比して丸ブラシの毛先の操作方向を制御することが容易でない。例えば、丸ブラシがアイシャドウブラシとして使用される場合、丸ブラシの毛先の操作方向を容易に制御することが要望される場合がある。
【０００７】
以上の問題点を考慮し、本発明は、穂部を有する化粧用ブラシであって、穂部の毛量を変更することなく、毛量が同一の平ブラシの毛のコシよりも強い毛のコシを有し、毛先の操作方向を容易に制御することができる化粧用ブラシを提供することを目的とする。
【課題を解決するための手段】
【０００８】
上述の目的を達成するために、本発明に係る化粧用ブラシは、毛が束ねられた穂部と、穂部の基端部を支持する筒状の一端部を有する口金部と、口金部の他端部に連結される柄部と、を備え、口金部の筒状の一端部は、一直線上にない３つの点のそれぞれを結ぶ辺によって形成される図形の断面形状を有するとともに、穂部の基端部に当接し押圧する押圧面を各辺にそれぞれ有し、穂部の先端部と口金部の一端部との間における穂部の柱状部分の少なくとも一部の断面形状は、断面積が基端部に向けて漸減するように図形の断面形状に形成されることを特徴とする。
【発明の効果】
【０００９】
本発明に係る化粧用ブラシによれば、口金部の筒状の一端部は、一直線上にない３つの点のそれぞれを結ぶ辺によって形成される図形の断面形状を有するとともに、穂部の基端部に当接し押圧する押圧面を各辺にそれぞれ有し、穂部の先端部と口金部の一端部との間における穂部の柱状部分の少なくとも一部の断面形状は、断面積が基端部に向けて漸減するように図形の断面形状に形成されるので穂部の毛量を変更することなく、毛量が同一の平ブラシの毛のコシよりも強い毛のコシを有し、毛先の操作方向を容易に制御することができる。
【図面の簡単な説明】
【００１０】
【図１】（Ａ）は、本発明に係る化粧用ブラシの一例を示す平面図であり、（Ｂ）は、（Ａ）に示される例における側面図である。
【図２】（Ａ）は、図１（Ａ）に示される例における正面図であり、（Ｂ）は、（Ａ）に示される例における側面図である。
【図３】（Ａ）は、図１（Ａ）に示される例に用いられる口金部材の正面図であり、（Ｂ）は、（Ａ）に示される例における側面図である。
【図４】（Ａ）は、比較例１としての丸ブラシを部分的に示す平面図であり、（Ｂ）は、（Ａ）に示される丸ブラシの側面図である。
【図５】（Ａ）は、比較例２としての平ブラシを部分的に示す平面図であり、（Ｂ）は、（Ａ）に示される平ブラシの側面図である。
【図６】（Ａ），（Ｂ）、（Ｃ）、（Ｄ）、（Ｅ）、（Ｆ）、（Ｇ）、および、（Ｈ）は、それぞれ、本発明に係る化粧用ブラシの一例における口金部の穂部側端部の断面形状の他の一例を示す図である。
【図７】（Ａ）は、本発明に係る化粧用ブラシの他の一例を示す平面図であり、（Ｂ）は、（Ａ）に示される例における側面図である。
【図８】（Ａ）は、図７（Ａ）に示される例における正面図であり、（Ｂ）は、（Ａ）に示される例における側面図である。
【図９】図７（Ａ）に示される例に用いられる口金部材の正面図である。
【図１０】（Ａ）は、本発明に係る化粧用ブラシのさらなる他の一例を示す平面図であり、（Ｂ）は、（Ａ）に示される例における側面図である。
【図１１】Ａ）は、本発明に係る化粧用ブラシのさらなる他の一例を示す正面図であり、（Ｂ）は、（Ａ）に示される例における側面図である。
【発明を実施するための形態】
【００１１】
図１（Ａ）は、本発明に係る化粧用ブラシの一例の外観を示す。
【００１２】
図１（Ａ）および（Ｂ）において、化粧用ブラシ１０は、例えば、チークブラシ、フェイスブラシ等として使用可能とされる。化粧用ブラシ１０は、使用者により把持される柄部１２と、束ねられた毛からなる穂部１６と、柄部１２と穂部１６とを連結する口金部１４とから構成されている。
【００１３】
穂部１６は、所定の毛量を有し複数本の毛が束ねられたものとされる。毛は、例えば、獣毛、合成繊維、混毛の一群のうちから選択された材料で作られても良い。獣毛としては、馬、イタチ、リス、山羊、狸、牛、羊、兎、狐、豚、猪、むささびの一群のうちから選択されたいずれかの毛であってもよい。合成繊維は、ポリブチレンテレフタレート、ナイロン等で作られても良い。
【００１４】
穂部１６の最先端部は、図１（Ａ）に示されるように、略球面状に形成されている。また、穂部１６の基端部は、図１（Ｂ）に示されるように、その略球面に連なって一辺約１３．５ｍｍの略正三角柱状に形成されている。穂部１６の基端部の各辺は、後述する口金部１４の各平坦面１４ＦＳ１、１４ＦＳ２，および、１４ＦＳ３に対応している。穂部１６は、その横断面積が穂部１６の基端部から上述の最先端部に向けて漸増するように形成されている。
【００１５】
口金部１４は、金属材料、例えば、アルミニウム合金材料、ステンレス鋼、真鍮などで作られている。アルミニウム合金材料の場合、その外周面は、アルマイト処理されている。また、真鍮の場合、クロムまたはニッケルめっき処理されている。口金部１４は、穂部側端部と、後述する柄部１２が連結される柄部側端部と、柄部側端部と穂部側端部とを連結するテーパ状円筒部とから構成されている。
【００１６】
口金部１４の穂部側端部は、プレス加工によってかしめられることにより、穂部１６の基端部が連結される。その穂部側端部は、図１（Ｂ）および図２（Ｂ）に示されるように、略正三角柱状に形成されており、３つの平坦面１４ＦＳ１、１４ＦＳ２、および、１４ＦＳ３を有している。各平坦面１４ＦＳ１、１４ＦＳ２、および、１４ＦＳ３の内周部は、それぞれ、穂部１６の基端部を所定の圧力で押圧するようにその基端部に当接している。これにより、後述するように、穂部１６における毛のコシが、毛量が同一とされる平ブラシにおける毛のコシに比して強くなる。また、穂部１６の毛先の操作方向を制御することが、毛量が同一とされる丸ブラシに比して容易となる。
【００１７】
なお、口金部１４は、プレス加工によってかしめられることなく、例えば、略正三角形の断面形状を有する薄肉管が用いられ、穂部１６の基端部が連結されるように構成されてもよい。
【００１８】
柄部１２は、木材、エラストマー、または、樹脂材料、例えば、アクリルニトリルスチレン（ＡＳ）、アクリル樹脂、ＡＢＳ樹脂、ポリカーボネイト樹脂（ＰＣ）、ポリアセタール樹脂（ＰＯＭ）からなる群から選択されたいずれかの一つの材料で作られている。柄部１２の一端は、口金部１４の柄部側端部の内周部に接着されている。また、柄部１２は、一端から他端に向かうにつれて先細状に成形されている。
【００１９】
化粧用ブラシ１０を組み立てるにあたっては、図３（Ａ）および（Ｂ）に示されるような、口金部１４を形成する口金部材１８が用意される。口金部材１８は、穂部１６の基端部が連結される円筒状の穂部側端部１８Ｂと、後述する柄部１２が連結される柄部側端部１８Ｃと、柄部側端部と穂部側端部とを連結するテーパ状円筒部１８Ａとから構成されている。先ず、穂部１６の基端部が、口金部材１８の穂部側端部１８Ｂ内に挿入された後、次に、上述の３つの平坦面１４ＦＳ１、１４ＦＳ２、および、１４ＦＳ３を形成するように、口金部材１８の穂部側端部１８Ｂがプレス加工によりかしめられる。続いて、柄部１２の一端が、穂部１６が取付けられた口金部材１８の柄部側端部１８Ｃの内周部に接着される。これにより、化粧用ブラシ１０の組み立てが完了する。
【００２０】
図４（Ａ）および（Ｂ）は、それぞれ、比較例１としての丸ブラシを示す。その丸ブラシは、使用者により把持される柄部１２と、束ねられた毛からなる穂部２６と、柄部１２と穂部２６とを連結する口金部２４とから構成されている。なお、図４（Ａ）および（Ｂ）においては、図１（Ａ）、および、図２（Ａ）において示される構成要素と同一の構成要素について同一の符号を付して示し、その重複説明を省略する。
【００２１】
穂部２６は、図１（Ａ）、および、図２（Ａ）に示される化粧用ブラシ１０の穂部１６の毛量と同一の毛量で同様な毛により作られている。穂部２６の最先端部は、略球面状に形成されている。また、穂部２６の基端部は、略球面に連なって直径１３ｍｍの円柱状に形成されている。口金部２４は、穂部２６の基端部が連結される穂部側端部と、柄部１２が連結される柄部側端部と、柄部側端部と穂部側端部とを連結するテーパ状円筒部とから構成されている。図４（Ｂ）に示されるように、穂部側端部の断面形状は、平坦面がない直径１３ｍｍの円筒状とされている。これにより、丸ブラシの穂部２６の基端部の横断面積と図１（Ａ）に示される本願発明に係る化粧用ブラシの一例の穂部の横断面積との比は、例えば、１：０．７２である。従って、丸ブラシの穂部２６の基端部は、口金部２４の穂部側端部に対し自由に動き得るのに対し、一方、本願発明に係る化粧用ブラシの一例は、穂部１６がその略球面に連なって略正三角柱状に形成されているので丸ブラシの穂部２６に比して穂部１６の毛先の操作方向を制御することが容易となる。
【００２２】
図５（Ａ）および（Ｂ）は、それぞれ、比較例２としての平ブラシを示す。その平ブラシは、使用者により把持される柄部１２と、束ねられた毛からなる穂部３６と、柄部１２と穂部３６とを連結する口金部３４とから構成されている。なお、図５（Ａ）および（Ｂ）においては、図１（Ａ）、および、図２（Ａ）において示される構成要素と同一の構成要素について同一の符号を付して示し、その重複説明を省略する。
【００２３】
穂部３６は、図１（Ａ）、および、図２（Ａ）に示される化粧用ブラシ１０の穂部１６の毛量と同一の毛量で同様な毛により作られている。穂部３６の最先端部は、略楕円状に形成されている。また、穂部３６の基端部は、その略楕円状の外周面に連なって長径１６．３ｍｍ、短径９．２ｍｍの断面形状を有する楕円柱状に形成されている。口金部３４は、穂部３６の基端部が連結される穂部側端部と、柄部１２が連結される柄部側端部と、柄部側端部と穂部側端部とを連結する円筒部とから構成されている。図５（Ｂ）に示されるように、穂部側端部の断面形状は、平坦面がない楕円形状とされている。これにより、平ブラシの穂部３６の基端部の横断面積と図１（Ａ）に示される本願発明に係る化粧用ブラシの一例の穂部の横断面積との比は、０．８９：０．７２である。また、平ブラシの穂部３６の断面二次モーメントおよび曲げ剛性（ヤング率×断面二次モーメント）は、本願発明に係る化粧用ブラシの一例における穂部１６の断面二次モーメントおよび曲げ剛性に比して小となるので本願発明に係る化粧用ブラシの一例における穂部のコシは、平ブラシの穂部３６のコシに比して大となる。従って、本願発明に係る化粧用ブラシの一例においては、穂部のコシを、毛量を変更することなく平ブラシの穂部のコシよりも大にでき、しかも、丸ブラシの穂部のコシよりも小とすることができる。
【００２４】
上述の図１（Ａ）に示される例においては、口金部１４の穂部側端部は、略正三角柱状に形成されているが、斯かる例に限られることなく、例えば、図６（Ａ）、（Ｂ）、（Ｃ）に示されるように、口金部１４の穂部側端部の略三角柱の断面形状が、内角が３５°、５０°、９５°の略三角形４４Ａ、二つの内角が６５°の二等辺三角形４４Ｂ、二つの内角が４５°の二等辺三角形４４Ｃであってもよい。
【００２５】
また、口金部１４の穂部側端部の略三角柱の断面形状は、図６（Ｄ）に示されるように、一直線上にない３つの点のそれぞれを結ぶ辺４４ｄ１、４４ｄ１，４４ｄ２のうち辺４４ｄ２が外方に向けて凸状に湾曲する辺からなる略扇形４４Ｄであってもよい。その際、各辺４４ｄ１〜４４ｄ２が円弧で互いに結ばれても良い。さらに、口金部１４の穂部側端部の略三角柱の断面形状は、図６（Ｅ）に示されるように、一直線上にない３つの点のそれぞれを結ぶ辺４４ｅ１、４４ｅ１，４４ｅ２のうち辺４４ｅ２が外方に向けて凸状に湾曲する辺であるとともに、辺４４ｅ１、４４ｅ１が、内方に向けて凸状に湾曲する辺からなる略扇形４４Ｅであってもよい。その際、各辺４４ｅ１〜４４ｅ２が円弧で互いに結ばれても良い。口金部１４の穂部側端部の略三角柱の断面形状は、図６（Ｆ）に示されるように、一直線上にない３つの点のそれぞれを結ぶ３つ辺４４ｆ１が、内方に向けて凸状に湾曲する辺からなる図形４４Ｆであってもよい。その際、各辺４４ｆ１が円弧で互いに結ばれても良い。
【００２６】
そして、口金部１４の穂部側端部の略三角柱の断面形状は、図６（Ｇ）に示されるように、一直線上にない３つの点のそれぞれを結ぶ３つ辺４４ｇ１が、線分の辺からなる正三角形４４Ｇであって、各辺４４ｇ１が、細かい凹凸４４ｇｒを有するものでもよい。その際、各辺４４ｇ１が円弧で結ばれても良い。口金部１４の穂部側端部の略三角柱の断面形状は、図６（Ｈ）に示されるように、一直線上にない３つの点のそれぞれを結ぶ辺４４ｈ１、４４ｈ１，４４ｈ２が外方に向けて凸状に湾曲する辺であるとともに、辺４４ｈ２が、略中央に窪みを有する辺からなるハート形４４Ｈであってもよい。その際、各辺４４ｈ１〜４４ｈ２が円弧で互いに結ばれても良い。
【００２７】
図７（Ａ）および図８（Ａ）は、それぞれ、本発明に係る化粧用ブラシの他の一例の外観を示す。
【００２８】
図７（Ａ）および図８（Ａ）において、化粧用ブラシ５０は、例えば、アイシャドウブラシとして使用可能とされる。化粧用ブラシ５０は、使用者により把持される柄部５２と、束ねられた毛からなる穂部５６と、柄部５２の一端と穂部５６とを連結する口金部５４と、柄部５２の他端に連結されるチップ５８とから構成されている。
【００２９】
穂部５６は、所定の毛量を有し複数本の毛が束ねられたものとされる。毛は、例えば、獣毛、合成繊維、混毛の一群のうちから選択された材料で作られても良い。獣毛としては、馬、イタチ、リス、山羊、狸、牛、羊、兎、狐、豚、猪、むささびの一群のうちから選択されたいずれかの毛であってもよい。合成繊維は、ポリブチレンテレフタレート、ナイロン等で作られても良い。
【００３０】
穂部５６の最先端部は、図７（Ａ）および図８（Ａ）に示されるように、略球面状に形成されている。また、穂部５６の基端部は、図７（Ｂ）および図８（Ｂ）に示されるように、その略球面に連なって略正三角柱状に形成されている。穂部５６の基端部の各辺は、後述する口金部５４の各平坦面５４ＦＳ１、５４ＦＳ２，および、５４ＦＳ３に対応している。穂部５６は、その横断面積が穂部５６の基端部から上述の最先端部に向けて漸増するように形成されている。
【００３１】
口金部５４は、金属材料、例えば、アルミニウム合金材料、ステンレス鋼、真鍮などで作られている。アルミニウム合金材料の場合、その外周面は、アルマイト処理されている。また、真鍮の場合、クロムまたはニッケルめっき処理されている。口金部５４は、プレス加工によってかしめられることにより、穂部５６の基端部が連結される穂部側端部と、後述する柄部５２が連結される柄部側端部と、柄部側端部と穂部側端部とを連結するテーパ状円筒部とから構成されている。
【００３２】
口金部５４の穂部側端部は、図７（Ｂ）および図８（Ｂ）に示されるように、略正三角柱状に形成されており、３つの平坦面５４ＦＳ１、５４ＦＳ２、および、５４ＦＳ３を有している。各平坦面５４ＦＳ１、５４ＦＳ２、および、５４ＦＳ３の内周部は、それぞれ、穂部５６の基端部を所定の圧力で押圧するようにその基端部に当接している。これにより、穂部５６における毛のコシが、毛量が同一とされる平ブラシにおける毛のコシに比して強くなる。また、穂部５６の毛先の操作方向を制御することが、毛量が同一とされる丸ブラシに比して容易となる。
【００３３】
なお、口金部５４は、プレス加工によってかしめられることなく、例えば、略正三角形の断面形状を有する薄肉管が用いられ、穂部５６の基端部が連結されるように構成されてもよい。
【００３４】
さらに、口金部５４の穂部側端部の略三角柱の断面形状は、斯かる例に限られることなく、例えば、図６（Ａ）〜図６（Ｈ）に示されるような、断面形状であってもよい。
【００３５】
円柱状の柄部５２は、樹脂材料、例えば、６６ナイロンで作られている。柄部５２の一端は、口金部５４の柄部側端部の内周部に接着されている。また、柄部５２の他端は、チップ５８の内周部に接着されている。なお、柄部５２は、木材、エラストマー、または、樹脂材料、例えば、アクリルニトリルスチレン（ＡＳ）、アクリル樹脂、ＡＢＳ樹脂、ポリカーボネイト樹脂（ＰＣ）、ポリアセタール樹脂（ＰＯＭ）からなる群から選択されたいずれかの一つの材料で作られてもよい。
【００３６】
化粧用ブラシ５０を組み立てるにあたっては、図９に示されるような、口金部５４を形成する口金部材６０が用意される。円筒状の口金部材６０は、穂部５６の基端部が連結される穂部側端部と、柄部５２が連結される柄部側端部と、柄部側端部と穂部側端部とを連結する円筒部とから構成されている。先ず、穂部５６の基端部が、口金部材６０の穂部側端部内に挿入された後、次に、上述の３つの平坦面５４ＦＳ１、５４ＦＳ２、および、５４ＦＳ３を形成するように、口金部材６０の穂部側端部がプレス加工によりかしめられる。続いて、柄部５２の一端が、穂部５６が取付けられた口金部材６０の柄部側端部の内周部に接着される。そして、チップ５８が柄部５２の他端に接着される。これにより、化粧用ブラシ５０の組み立てが完了する。
【００３７】
図１０及び図１１は、それぞれ、本発明に係る化粧用ブラシのさらなる他の一例の外観を示す。
【００３８】
図１０および図１１において、化粧用ブラシ６２は、例えば、チークブラシ、フェイスブラシ等として使用可能とされる。化粧用ブラシ６２は、使用者により把持される柄部６８と、束ねられた毛からなる穂部６６と、柄部６８の収容部内に圧入され穂部６６の基部を支持する口金部６４とから構成されている。
【００３９】
穂部６６は、所定の毛量を有し複数本の毛が束ねられたものとされる。毛は、上述の例における穂部１６および穂部５６と同様な、例えば、獣毛、合成繊維、混毛の一群のうちから選択された材料で作られても良い。
【００４０】
穂部６６の最先端部は、図１０（Ａ）に示されるように、略球面状に形成されている。また、穂部６６の基端部は、その略球面に連なって後述する柄部６８の断面形状に倣って略正三角柱状に形成されている。柄部６８の口金収容部内に収容される穂部６６の基端部の各辺は、後述する口金部６４の各平坦面６４ＦＳ１、６４ＦＳ２，および、６４ＦＳ３に対応している。穂部６６は、その横断面積が穂部６６の基端部から上述の最先端部に向けて漸増するように形成されている。
【００４１】
柄部６８は、樹脂材料、例えば、アクリルニトリルスチレン（ＡＳ）で作られている。なお、柄部６８は、木材、エラストマー、または、樹脂材料、例えば、アクリル樹脂、ＡＢＳ樹脂、ポリカーボネイト樹脂（ＰＣ）、ポリアセタール樹脂（ＰＯＭ）からなる群から選択されたいずれかの一つの材料で作られてもよい。
柄部６８は、筒状の略正三角形の断面形状を有している。柄部６８の外周面は、平坦面６８ＦＳ１、平坦面６８ＦＳ２，および、平坦面６８Ｆ３を有している。柄部６８は、一端に開口端部を有する口金収容部を内部に有している。口金部６４を収容する口金収容部の他方の端部は、閉塞している。
【００４２】
穂部６６の基端部を保持する口金部６４は、金属材料、例えば、アルミニウム合金材料、ステンレス鋼、真鍮などで作られている。アルミニウム合金材料の場合、その外周面は、アルマイト処理されている。また、真鍮の場合、クロムまたはニッケルめっき処理されている。
【００４３】
口金部６４の穂部側端部は、プレス加工によってかしめられることにより、穂部６６の基端部が連結される。その穂部側端部は、略正三角柱状に形成されており、３つの平坦面６４ＦＳ１、６４ＦＳ２、および、６４ＦＳ３を有している。各平坦面６４ＦＳ１、６４ＦＳ２、および、６４ＦＳ３の内周部は、それぞれ、穂部６６の基端部を所定の圧力で押圧するようにその基端部に当接している。これにより、穂部６６における毛のコシが、毛量が同一とされる平ブラシにおける毛のコシに比して強くなる。また、穂部６６の毛先の操作方向を制御することが、毛量が同一とされる丸ブラシに比して容易となる。
【００４４】
化粧用ブラシ６０を組み立てるにあたっては、先ず、穂部６６の基端部が、口金部６４の穂部側端部に挿入された後、次に、上述の３つの平坦面６４ＦＳ１、６４ＦＳ２、および、６４ＦＳ３を形成するように、口金部６４の穂部側端部がプレス加工によりかしめられる。続いて、穂部６６の基端部に連結された口金部６４が、柄部６８の口金収容部内に圧入される。これにより、化粧用ブラシ６２の組み立てが完了する。
【００４５】
なお、図１０（Ａ）および図１１（Ａ）に示される例においては、穂部６６の基端部に連結された口金部６４が、柄部６８の口金収容部内に圧入されているが、斯かる例に限られることなく、例えば、穂部６６の基端部が口金部６４を介することなく直接的に柄部６８における略三角形断面形状を有する収容部内に支持され、その収容部の内周面の各押圧面で押圧されるように構成されてもよい。
【００４６】
上述の例においては、本発明に係る化粧用ブラシの一例がチークブラシ、アイシャドウブラシ等に適用されているが、斯かる例に限られることなく、例えば、カンターブラシ、ネールブラシ等に適用されてもよいことは勿論である。
【符号の説明】
【００４７】
１０、５０、６２    化粧用ブラシ
１２，５２，６８    柄部
１４、５４、６４    口金部
１４ＦＳ１，１４ＦＳ２，１４ＦＳ３    平坦面
１６、５６、６６    穂部
【要約】
【課題】穂部の毛量を変更することなく、毛量が同一の平ブラシの毛のコシよりも強い毛のコシを有し、毛先の操作方向を容易に制御することができること。
【解決手段】口金部１４は、穂部１６の基端部が連結される穂部側端部と、柄部１２が連結される柄部側端部と、柄部側端部と穂部側端部とを連結するテーパ状円筒部とから構成されており、口金部１４の穂部側端部は、略正三角柱状に形成され、３つの平坦面１４ＦＳ１、１４ＦＳ２、および、１４ＦＳ３を有するもの。
【選択図】図１【図３】
0005274681.tif 000002
【図６】
0005274681.tif 000003
【図９】
0005274681.tif 000004
【図１】
0005274681.tif 000005
【図２】
0005274681.tif 000006
【図４】
0005274681.tif 000007
【図５】
0005274681.tif 000008
【図７】
0005274681.tif 000009
【図８】
0005274681.tif 000010
【図１０】
0005274681.tif 000011
【図１１】
0005274681.tif 000012